(57)【要約】【課題】  様々な環境下で取得された診療データを確認する効率を向上させること。【解決手段】  実施形態によれば、支援装置は、抽出部と、演算部と、分類部と、生成部とを備える。抽出部は、患者について蓄積されている診療データに関する属性を抽出する。演算部は、前記蓄積されている複数の診療データのうち、指定された診療データと、それ以外の診療データとの類似度を前記属性に基づいて演算する。分類部は、前記類似度に基づいて、前記診療データを複数の分類グループのいずれか１つに分類する。生成部は、前記分類グループ毎に区別される表示態様で前記分類された診療データを共通の時間軸上でグラフ化した表示画面を表す表示画面データを生成する。【選択図】      図３
2020057035.tif 000002
【特許請求の範囲】
【請求項１】
患者について蓄積されている診療データに関する属性を抽出する抽出部と、
前記蓄積されている複数の診療データのうち、指定された診療データと、それ以外の診療データとの類似度を前記属性に基づいて演算する演算部と、
前記類似度に基づいて、前記診療データを複数の分類グループのいずれか１つに分類する分類部と、
前記分類グループ毎に区別される表示態様で前記分類された診療データを共通の時間軸上でグラフ化した表示画面を生成する生成部と、
を備える支援装置。
【請求項２】
前記生成部は、前記指定された診療データを含む分類グループ、及び少なくとも１つの前記指定された診療データを含まない分類グループに亘る前記診療データを含む前記表示画面を生成する、
請求項１に記載の支援装置。
【請求項３】
前記診療データは、検体検査、又は画像検査に関する、
請求項１又は２に記載の支援装置。
【請求項４】
前記属性は、患者ＩＤ、項目ＩＤ、項目名、計測日時、装置名、検査者、及び計測単位のうちいずれか１つを含む請求項１乃至３のうちいずれかに記載の支援装置。
【請求項５】
患者について蓄積されている診療データに関する属性を抽出する抽出部と、
前記蓄積されている複数の診療データのうち、指定された診療データと、それ以外の診療データとの類似度を前記属性に基づいて演算する演算部と、
前記類似度に基づいて、前記診療データを複数の分類グループのいずれか１つに分類する分類部と、
前記分類グループ毎に区別される表示態様で前記分類された診療データを共通の時間軸上でグラフ化した表示画面を生成する生成部と、
前記表示画面を表示部に表示させる表示制御部と、
を備える、
表示システム。
【請求項６】
表示されている前記診療データの表示態様を、分類グループ単位で切り替える表示切替部をさらに備える、
請求項５に記載の表示システム。
【請求項７】
検査項目の指定を受け付ける受付部をさらに備え、
前記表示制御部は、前記指定された検査項目に限定して前記診療データを表示する、
請求項５又は６に記載の表示システム。
【請求項８】
患者について蓄積されている診療データに関する属性を抽出し、
前記蓄積されている複数の診療データのうち、指定された診療データと、それ以外の診療データとの類似度を前記属性に基づいて演算し、
前記類似度に基づいて、前記診療データを複数の分類グループのいずれか１つに分類し、
前記分類グループ毎に区別される表示態様で前記分類された診療データを共通の時間軸上でグラフ化した表示画面を生成する、
ことを含む、支援方法。
【発明の詳細な説明】
【技術分野】
【０００１】
本発明の実施形態は、支援装置、表示システム、及び支援方法に関する。
【背景技術】
【０００２】
近年、院内には検査結果等の様々な種類の診療データが蓄積されている。しかしながら、院内に蓄積された診療データは、異なる装置及び異なる設定等の異なる環境下で取得されたものが混在しており、これら混在した診療データは統合的に管理されていない。
【０００３】
このように異なる環境下で取得された診療データ統合的に管理されていない場合、例えば、基準となる診療データと異なる環境下で取得された診療データは不正値を含む不正データとして扱われることがあり、診療画面として表示される際に、当該診療データの一部又は全てが欠落してしまう。このような診療画面を視認したユーザは、エラーとして認識できたとしても、当該不正データはグラフとして表示されない、又は正しく表示されないため、診療画面上で欠落した診療データが診療判断において必要なものであるか否かを把握することができない。このため、様々な環境下で取得されたデータを確認する効率が低下する可能性がある。
【先行技術文献】
【特許文献】
【０００４】
【特許文献１】特開２０１４−７１６９３公報
【発明の概要】
【発明が解決しようとする課題】
【０００５】
本発明が解決しようとする課題は、様々な環境下で取得された診療データを確認する効率を向上させることにある。
【課題を解決するための手段】
【０００６】
実施形態によれば、支援装置は、抽出部と、演算部と、分類部と、生成部とを備える。抽出部は、患者について蓄積されている診療データに関する属性を抽出する。演算部は、前記蓄積されている複数の診療データのうち、指定された診療データと、それ以外の診療データとの類似度を前記属性に基づいて演算する。分類部は、前記類似度に基づいて、前記診療データを複数の分類グループのいずれか１つに分類する。生成部は、前記分類グループ毎に区別される表示態様で前記分類された診療データを共通の時間軸上でグラフ化した表示画面を表す表示画面データを生成する。
【図面の簡単な説明】
【０００７】
【図１】図１は、第１の実施形態に係る医用端末、及び医用サーバが含まれる医療情報システムを表すブロック図である。
【図２】図２は、図１に示される医用端末の機能構成を示すブロック図である。
【図３】図３は、図１に示される医用サーバの機能構成を示すブロック図である。
【図４】図４は、図３に示される医用サーバが備える処理回路が実行する処理の流れを示すフローチャートである。
【図５】図５は、一連のデータ属性が付随された診療データを示す図である。
【図６】図６は、図３に示される医用サーバが備える処理回路の動作を説明するための図である。
【図７】図７は、図２に示される医用端末のディスプレイに表示される表示画面の例を示す図である。
【図８】図８は、図２に示される医用端末のディスプレイに表示される表示画面の例を示す図である。
【図９】図９は、図２に示される医用端末のディスプレイに表示される表示画面の例を示す図である。
【図１０】図１０は、変形例１において、一連のデータ属性が付随された診療データを示す図である。
【図１１】図１１は、変形例１において、図２に示される医用端末のディスプレイに表示される表示画面の例を示す図である。
【図１２】図１２は、変形例２において、図３に示される医用サーバが備える処理回路の動作を説明するための図である。
【図１３】図１３は、変形例２において、図２に示される医用端末のディスプレイに表示される表示画面の例を示す図である。
【図１４】図１４は、変形例３において、図２に示される医用端末のディスプレイに表示される表示画面の例を示す図である。
【図１５】図１５は、変形例４において、図２に示される医用端末のディスプレイに表示される表示画面を説明するための図である。
【図１６】図１６は、第２の実施形態に係る医用端末の機能構成を示すブロック図である。
【図１７】図１７は、図１６に示される医用端末のディスプレイに表示される表示画面の表示態様の切替を説明するための図である。
【図１８】図１８は、図１６に示される医用端末のディスプレイに表示される表示画面の他の表示態様の切替を説明するための図である。
【図１９】図１９は、図１６に示される医用端末のディスプレイに表示される表示画面の他の表示態様の切替を説明するための図である。
【図２０】図２０は、図１６に示される医用端末のディスプレイに表示される表示画面の他の表示態様の切替を説明するための図である。
【図２１】図２１は、他の実施形態に係る医用端末が含まれる医療情報システムを表すブロック図である。
【図２２】図２２は、図２１に示される医用端末の機能構成を示すブロック図である。
【図２３】図２３は、図２０に示される医用端末が備える処理回路が実行する処理の流れを示すフローチャートである。
【発明を実施するための形態】
【０００８】
［第１の実施形態］
以下、第１の実施の形態について、図面を参照して説明する。
【０００９】
図１は、第１の実施形態に係る医用端末１、及び医用サーバ２が利用される環境の例を表すブロック図である。図１に示される医用端末１、及び医用サーバ２は、例えば、医用端末１がクライアント、医用サーバ２がサーバとして機能するクライアントサーバシステムを構成する。
図１に示される医用端末１は、例えば、医療情報を統合的に観察することが可能な装置である。医用端末１には、例えば統合ビューアが実装されている。統合ビューアは医療情報を統合的にユーザに提示するアプリケーションである。統合ビューアは、Ｗｅｂアプリケーション、ファットクライアントアプリケーション、又は、シンクライアントアプリケーション等、いずれの実装形態を採用しても良い。
図１に示される医用サーバ２は、医用端末１からの処理要求を受け付けて、受け付けた処理要求に対応する処理を実行する装置である。医用サーバ２には、医用端末１に実装された統合ビューアに対応する所定のサーバアプリケーションが実装されている。また、医用サーバ２は、特許請求の範囲に記載の医用情報処理装置の一例である。また、医用端末１、及び医用サーバ２は、特許請求の範囲に記載の医用情報処理システムの一例である。
【００１０】
医用端末１、及び医用サーバ２は、例えば、図１に示されるＶＮＡ（Vendor Neutral Archive）システム３と、ＬＡＮ（Local Area Network）等の病院内ネットワークを介して互いに通信可能に接続されている。
【００１１】
図１に示されるＶＮＡシステム３は、異なるメーカー製の医用画像管理システム（ＰＡＣＳ：Picture Archiving and Communication Systems）に保管されている医用画像ファイル、及び各臨床部門システムで管理されている多様な診療データを一元的に管理する統合アーカイブシステムである。ＶＮＡシステム３は、例えば、不図示のＰＡＣＳ、及び不図示の電子カルテシステムと、ＬＡＮ等の病院内ネットワークを介して互いに通信可能に接続されている。ＶＮＡシステム３は、例えば、ＰＡＣＳに記憶されている医用画像ファイルを定期的に取得し、ＶＮＡシステム３が備えるメモリに記憶する。
【００１２】
医用画像ファイルは、例えば、ＤＩＣＯＭ（Digital Imaging and Communication in Medicine）規格に準拠した形式のファイルである。この医用画像ファイルは、ＤＩＣＯＭデータと換言してもよい。医用画像ファイルは、患者を撮影等することにより検査を実施する医用画像診断装置により、検査の結果生成される医用画像を表す医用画像データに基づいて生成される。なお、医用画像診断装置は、例えばＸ線コンピュータ断層撮影装置、Ｘ線診断装置、磁気共鳴イメージング装置、核医学診断装置、及び超音波診断装置等を含む。
【００１３】
医用画像ファイルは、例えば、医用画像データ、及び、当該医用画像データを分類し、かつ、当該医用画像データの出自等を表す付帯情報を含む。医用画像ファイルにおける付帯情報には、例えば、検査ＵＩＤ(Unique IDentifier)、シリーズＵＩＤ、患者ＩＤ（IDentifier）、患者氏名、生年月日、モダリティコード、及びシリーズ記述等の医用画像を特定するための情報が含まれる。検査ＵＩＤは、検査を一意に特定可能な識別子である。シリーズＵＩＤは、例えば撮影部位毎又は撮影条件毎に取得される、一連の画像群を一意に特定可能な識別子である。患者ＩＤは、患者毎に付与され、例えば１つの病院内で患者を一意に特定するための識別子である。患者氏名は、患者ＩＤに対応する患者の氏名を表す。生年月日は、患者ＩＤに対応する患者の生年月日を表す。モダリティコードは、モダリティ種別を特定するための識別子であり、例えば「ＣＴ」、「ＭＲ」、及び「ＵＳ」等が規定されている。「ＣＴ」、「ＭＲ」、及び「ＵＳ」は、それぞれＸ線コンピュータ断層撮影装置、磁気共鳴イメージング装置、及び超音波診断装置で撮影された医用画像であることを意味する。シリーズ記述は、検査技師が検査時（撮影時）に医師に伝えておくべき特記事項がある場合にその内容を表すものである。
【００１４】
また、ＶＮＡシステム３は、例えば、電子カルテシステムに記憶されている電子カルテに関する情報を定期的に取得し、ＶＮＡシステム３が備えるメモリに記憶している。
【００１５】
電子カルテに関する情報には、例えば、患者情報及び診療データが含まれる。患者情報は、患者固有の情報であり、例えば、患者ＩＤ、患者氏名、生年月日、性別、及び年齢等を含む。
【００１６】
診療データは、診療の過程で、患者の身体状況、病状、及び治療等について、医療従事者が知り得た情報である。診療データは、例えば、異なる製造元の装置、異なるバージョンの装置、及び同じ装置であっても異なる設定等様々な環境下で取得されたデータを含む。診療データは、数値等の客観データのみに限定されず、非数値、例えば文字で表される主観データ等あってもよい。
【００１７】
診療データは、例えば、検査履歴情報、画像情報、心電図情報、バイタルサイン情報、薬歴情報、レポート情報、カルテ記載情報、及び看護記録情報等を含む。検査履歴情報は、例えば、患者に対して検体検査、及び細菌検査等が行われた結果取得される検査結果の履歴を表す情報である。画像情報は、例えば、患者を撮影等することにより取得された医用画像の所在を表す情報である。画像情報には、例えば、検査が実施された結果医用画像診断装置により生成される医用画像ファイルの所在を表す情報が含まれる。心電図情報は、例えば、患者から計測された心電図波形に関する情報である。バイタルサイン情報は、例えば、患者の生命に関わる基本的な情報である。バイタルサイン情報には、例えば、脈拍数、呼吸数、体温、血圧、及び意識レベル等が含まれる。薬歴情報は、例えば、患者に投与された薬剤の量の履歴を示す情報である。レポート情報は、例えば、診療科の診療医からの検査依頼に対して、放射線科の読影医がＸ線画像、ＣＴ画像、ＭＲＩ画像、及び超音波画像等の医用画像を読影し、患者の状態及び疾患についてまとめた情報である。レポート情報には、例えば、読影医がＰＡＣＳに記憶された医用画像ファイルを参照して作成された読影レポートを表す読影レポート情報が含まれる。レポート情報には、例えば、読影対象となる医用画像ファイルに対応する患者の患者ＩＤ、患者氏名、生年月日を表す情報が含まれる。カルテ記載情報は、例えば、診療医等により電子カルテに入力された情報である。カルテ記載情報には、例えば、入院時の診療記録、患者の病歴、及び薬の処方履歴等が含まれる。
【００１８】
看護記録情報は、例えば、看護師等により電子カルテに入力された情報である。看護記録情報には、入院時の看護記録等が含まれる。
【００１９】
次に、第１の実施形態に係る医用端末１、及び医用サーバ２の詳細について図２、及び図３を参照しながら説明する。図２は、図１に示される医用端末１の機能構成を示すブロック図である。図３は、図１に示される医用サーバ２の機能構成を示すブロック図である。
【００２０】
図２に示される医用端末１は、処理回路１１、入力インターフェース１２、ディスプレイ１３、メモリ１４、及び通信インターフェース１５を有する。処理回路１１、入力インターフェース１２、ディスプレイ１３、メモリ１４、及び通信インターフェース１５は、例えば、バスを介して互いに通信可能に接続されている。
【００２１】
処理回路１１は、医用端末１の中枢として機能するプロセッサである。処理回路１１は、例えばメモリ１４等に記憶されている制御プログラムを実行することにより、当該プログラムに対応する機能を実現する。
【００２２】
入力インターフェース１２は、例えば、マウス、キーボード、及び、操作面へ触れることで指示が入力されるタッチパネル等により実現される。入力インターフェース１２は、例えば、操作者からの表示指示を受け付ける。入力インターフェース１２は、操作者からの表示指示を電気信号へ変換し、電気信号を処理回路へ出力する。
【００２３】
ディスプレイ１３は、ユーザが各種業務を遂行するため種々の情報を表示する。ディスプレイとして１３は、例えば、ＣＲＴディスプレイ、液晶ディスプレイ、有機ＥＬディスプレイ、ＬＥＤディスプレイ、プラズマディスプレイ、及び当技術分野で知られている他の任意のディスプレイが適宜利用可能である。
【００２４】
メモリ１４は、種々の情報を記憶するＨＤＤ（Hard Disk Drive）、ＳＳＤ（Solid State Drive）、及び集積回路記憶装置等の記憶装置である。また、メモリ１４は、ＣＤ−ＲＯＭドライブ、ＤＶＤドライブ、及びフラッシュメモリ等の可搬性記憶媒体との間で種々の情報を読み書きする駆動装置等であっても良い。メモリ１４は、例えば、処理回路１１が実行する種々の制御プログラムを記憶している。
【００２５】
通信インターフェース１５は、病院内ネットワークを介して接続された医用サーバ２、及びＶＮＡシステム３との間でデータ通信を行う。医用サーバ２、及びＶＮＡシステム３との通信の規格は、如何なる規格であっても良いが、例えば、ＨＬ７、ＤＩＣＯＭ、又はその両方等が挙げられる。
【００２６】
第１の実施形態に係る処理回路１１は、指示機能１１１、及び表示制御機能１１２を有する。
【００２７】
指示機能１１１は、所定の指示を医用サーバ２に送信する機能である。指示機能１１１の実行により処理回路１１は、例えば、入力インターフェース１２を介し、特定の患者に関する診療データを表示する旨の表示指示を受け付けると、受け付けた表示指示を、例えば、通信インターフェース１５を介して医用サーバ２に送信する。
【００２８】
表示制御機能１１２は、診療データを表示する機能である。表示制御機能１１２の実行により処理回路１１は、後述する医用サーバ２から送信された処理結果に基づいて、診療データを、所定の表示形式でディスプレイ１３に表示する。
【００２９】
指示機能１１１、及び表示制御機能１１２は、制御プログラムとして組み込まれていてもよいし、処理回路１１自体に各機能を実行可能な専用のハードウェア回路が組み込まれていてもよい。
【００３０】
第１の実施形態に係る医用サーバ２は、例えば、医用端末１のディスプレイに表示する診療データの表示態様を決定する。図３は、図１に示される医用サーバ２の機能構成を示すブロック図である。図３に示される医用サーバ２は、通信インターフェース２１、メモリ２２、及び処理回路２３を有する。
【００３１】
通信インターフェース２１は、図１に示されるネットワーク等を介して接続された医用端末１、及びＶＮＡシステム３等の外部装置との間でデータ通信を行う。
【００３２】
メモリ２２は、種々の情報を記憶するＨＤＤ、ＳＳＤ、及び集積回路記憶装置等の記憶装置である。また、メモリ２２は、ＣＤ−ＲＯＭドライブ、ＤＶＤドライブ、及びフラッシュメモリ等の可搬性記憶媒体との間で種々の情報を読み書きする駆動装置等であっても良い。メモリ２２は、例えば、医用画像ファイル、及び診療データ等を記憶する。
【００３３】
処理回路２３は、医用サーバ２の中枢として機能するプロセッサである。また、処理回路２３は、メモリ２２から読み出した動作プログラムを実行することで、図３に示される各種機能を実現する。具体的には、処理回路２３は、抽出機能２３１、演算機能２３２、分類機能２３３、及び生成機能２３４を有する。
【００３４】
抽出機能２３１は、患者について蓄積されている診療データに関する属性を抽出する機能である。抽出機能２３１の実行により処理回路２３は、例えば、診療データの表示指示を受け付けると、診療データを取得する。処理回路２３は、取得した診療データから、予め設定された一連のデータ属性を抽出する。
【００３５】
また、データ属性とは、例えば、患者から取得された各種診療データに関する様々な属性を示す要素である。データ属性は、例えば、患者ＩＤ、項目ＩＤ、項目名、計測日時、装置名、検査者、及び計測単位を表す単位等を含む。１つの診療データに対しては、一連のデータ属性が付随して記憶される。１つの診療データとは、例えば、検体検査、又は画像検査等において患者から取得された少なくとも１つの計測値、又は医用画像データ等を含むデータである。なお、データ属性は、測定条件を含んでいてもよい。データ属性は、名称だけでなく、識別できる態様であれば所定のＩＤ等を含んでいてもよい。
【００３６】
演算機能２３２は、蓄積されている複数の診療データのうち、指定された診療データと、それ以外の診療データとの類似度を診療データが有するデータ属性に基づいて演算する機能である。演算機能２３２の実行により処理回路２３は、例えば、複数の診療データのうち、１つの診療データを基準データに設定する。処理回路２３は、例えば、計測日時が最も新しい診療データを基準データに設定する。処理回路２３は、基準データに設定した診療データと、他の診療データとの間の類似度を演算する。類似度は、例えば、基準データと他の診療データとの間の距離で表される。例えば、処理回路２３は、基準データに付随するデータ属性と、他の診療データに付随するデータ属性とを比較し、データ属性の差異に基づいて、基準データと診療データとの間の距離を算出する。具体的には、処理回路２３は、例えば、データ項目名の差異、取得単位の差異、及び装置に起因する精度の差異等に基づいて、基準データと他の診療データとの間の距離を算出する。距離は、例えば、データ属性の差異がデータ属性毎に予め数値化されたスコアに基づいて算出される。
【００３７】
分類機能２３３は、演算機能２３２により算出された類似度に基づいて、診療データを分類する機能である。分類機能２３３の実行により処理回路２３は、例えば、演算機能２３２により算出された距離を用いて診療データを複数の分類グループのいずれか１つに分類する。具体的には、処理回路２３は、例えば、演算機能２３２により算出された距離と、予め設定された閾値を比較することにより、診療データを複数の分類グループに分類する。
【００３８】
生成機能２３４は、分類グループ毎に区別される表示態様（表示形式）で分類された診療データを共通の時間軸上でグラフ化した表示画面を表す表示画面データを生成する機能である。生成機能２３４の実行により処理回路２３は、例えば、基本データと同じ分類グループに分類された診療データを、基本データと同一のデータ系列であるとして、所定の領域に、１つのグラフとして表示されるように表示画面データを生成する。また、処理回路２３は、基本データと異なる分類グループに分類された診療データが、基本データと同じ分類グループに分類された診療データと区別される表示態様で表示されるように表示画面データを生成する。
【００３９】
以上のように構成された医用サーバ２が備える処理回路２３の動作を、図４に示される処理手順に従い説明する。
【００４０】
以下の説明では、医用端末１の入力インターフェース１２を介して、特定の患者に関する診療に関する表示画面を表示する旨の表示指示が入力され、入力された表示指示が、医用端末１から医用サーバ２へ送信されるものとする。
【００４１】
図４は、図３に示される医用サーバ２が備える処理回路２３が実行する処理の流れを示すフローチャートである。
【００４２】
図４において、処理回路２３は、例えば、通信インターフェース２１を介して医用端末１から診療に関する表示画面の表示指示を受信する（ステップＳＡ１）。
【００４３】
処理回路２３は、診療画面の表示指示を受信すると、表示指示に含まれる特定の患者を示す情報をキーとして、例えば、ＶＮＡシステム３から診療データを取得する（ステップＳＡ２）。
【００４４】
処理回路２３は、取得した診療データからデータ属性を抽出する（ステップＳＡ３）。これにより、一連のデータ属性が付随された診療データが生成される。図５は、一連のデータ属性が付随された診療データの例を示す図である。図５によれば、１３個の診療データが示されている。また、図５によれば、各診療データは、例えば、計測値、並びに計測値に不随する患者ＩＤ、検査項目を識別するＩＤを示す項目ＩＤ、検査項目の名称を示す項目名、計測日時、及び単位等のデータ属性を有する。図５に示される診療データの集合には、例えば、患者ＩＤ「Ｐ０００１」、項目ＩＤ「０００１」、項目名「ＣＲＥＡ」、計測日時「20170511 21:30」、計測値「０．２９」、及び単位「ｍｇ／ｄｌ」である診療データ、患者ＩＤ「Ｐ０００１」、項目ＩＤ「０００１」、項目名「ＣＲＥＡ」、計測日時「20170515 09:00」、計測値「０．３６」、及び単位「ｍｇ／ｄｌ」である診療データ、並びに、患者ＩＤ「Ｐ０００１」、項目ＩＤ「０００１」、項目名「ＣＲＥＡ」、計測日時「20170517 14:45」、計測値「０．８３」、及び単位「ｍｇ／ｄｌ」である診療データが含まれている。
【００４５】
また、図５に示される診療データの集合には、患者ＩＤ「Ｐ０００１」、項目ＩＤ「００１０」、項目名「ＡＳＴ（ＧＯＴ）」、計測日時「20170426 09:15」、計測値「４６」、及び単位「Ｕ／Ｉ」である診療データ、患者ＩＤ「Ｐ０００１」、項目ＩＤ「００１０」、項目名「ＡＳＴ（ＧＯＴ）」、計測日時「20170428 15:30」、計測値「２８」、及び単位「Ｕ／Ｉ」である診療データ、患者ＩＤ「Ｐ０００１」、項目ＩＤ「００１０」、項目名「ＡＳＴ（ＧＯＴ）」、計測日時「20170501 10:15」、計測値「３．６」、及び単位「ＩＵ／Ｉ」である診療データ、患者ＩＤ「Ｐ０００１」、項目ＩＤ「００１０」、項目名「ＡＳＴ（ＧＯＴ）」、計測日時「20170502 09:00」、計測値「１４」、及び単位「Ｕ／Ｉ」である診療データ、患者ＩＤ「Ｐ０００１」、項目ＩＤ「００１０」、項目名「ＡＳＴ（ＧＯＴ）」、計測日時「20170506 14:45」、計測値「１３」、及び単位「Ｕ／Ｉ」である診療データ、患者ＩＤ「Ｐ０００１」、項目ＩＤ「００１０」、項目名「ＡＳＴ（ＧＯＴ）」、計測日時「20170508 21:30」、計測値「３．８」、及び単位「ＩＵ／Ｉ」である診療データ、患者ＩＤ「Ｐ０００１」、項目ＩＤ「００１０」、項目名「ＡＳＴ（ＧＯＴ）」、計測日時「20170510 21:30」、計測値「４．５」、及び単位「ＩＵ／Ｉ」である診療データ、患者ＩＤ「Ｐ０００１」、項目ＩＤ「００１０」、項目名「ＡＳＴ（ＧＯＴ）」、計測日時「20170511 21:30」、計測値「１４」、及び単位「Ｕ／Ｉ」である診療データ、患者ＩＤ「Ｐ０００１」、項目ＩＤ「００１０」、項目名「ＡＳＴ（ＧＯＴ）」、計測日時「20170515 09:00」、計測値「２８」、及び単位「Ｕ／Ｉ」である診療データ、並びに、患者ＩＤ「Ｐ０００１」、項目ＩＤ「００１０」、項目名「ＡＳＴ（ＧＯＴ）」、計測日時「20170517 14:45」、計測値「４６」、及び単位「Ｕ／Ｉ」である診療データが含まれている。
【００４６】
処理回路２３は、図５に示される診療データのうち、例えば、項目名「ＡＳＴ（ＧＯＴ）」（項目ＩＤ「００１０」）の診療データのうち、最新の計測日時「20170517 14:45」を有する１つの診療データを基準データに設定する（ステップＳＡ４）。項目名は、例えば、入力インターフェース１２を介してユーザにより指定されることにより決定される。
【００４７】
処理回路２３は、基準データの設定処理を完了すると、図５に示される基準データとして設定された診療データ以外の診療データから１つの診療データ（１レコード）を読み出す（ステップＳＡ５）。処理回路２３は、例えば、図５に示される項目ＩＤ「０００１」、及び計測日時「20170511 21:30」である診療データを読み出す。
【００４８】
処理回路２３は、基準データに設定した診療データと、読み出した１つの診療データとの類似度を算出する（ステップＳＡ６）。例えば、処理回路２３は、基準データに付随するデータ属性「項目ＩＤ」及び「単位」と、読み出した１つの診療データに付随するデータ属性「項目ＩＤ」及び「単位」とをそれぞれ比較し、データ属性の差異に基づいて、データ間の類似度、例えば距離を算出する。図６は、図３に示される医用サーバが備える処理回路の動作を説明するための図である。図６において、例えば、データ属性「患者ＩＤ」が異なる場合の距離は「２０」、データ属性「項目ＩＤ」が異なる場合の距離は「１０」、データ属性「単位」が異なる場合の距離は「１」であると所定の方法により予め設定されているものとする。なお、データ属性「項目ＩＤ」が異なる場合の距離を「１０」と設定することに代えて、データ属性「項目名」が異なる場合の距離を「１０」と設定してもよい。以下の説明では、表示指示となる診療データは、同一の患者ＩＤのものであり、診療データ間で患者ＩＤが異なることはないものとする。
【００４９】
処理回路２３は、図６に示されるように、例えば、予め設定されたデータ属性毎の距離を、データ属性毎の差異の有無に応じて加算することにより、基準データと、他の診療データとの間の類似度を算出する。具体的には、処理回路２３は、例えば、０をデータ間の距離の初期値として、基準データに設定した診療データのデータ属性「項目ＩＤ」が「００１０」、読み出した診療データのデータ属性「項目ＩＤ」が「０００１」で異なるため、データ間の距離として１０を加算する。さらに、処理回路２３は、基準データに設定した診療データのデータ属性「単位」が「Ｕ／Ｉ」、読み出した診療データのデータ属性「単位」が「ｍｇ／ｄｌ」で異なるため、データ間の距離として１を加算する。これにより、図６に示されるように、基準データに設定した診療データと、読み出した１つの診療データとの距離の合計値は１１となる。これにより、図４に示されるステップＳＡ６の類似度の算出処理は終了する。
【００５０】
処理回路２３は、算出した距離が所定の閾値Ａより大きいか否か判定する（ステップＳＡ７）。所定の閾値Ａは、例えば、１０である。このとき、処理回路２３は、算出した距離が１１のため、算出した距離が閾値Ａより大きいと判定し（ステップＳＡ７のＹｅｓ）、計測日時「20170511 21:30」である診療データを、基準データとは異なる診療データとして分類する（ステップＳＡ８）。処理回路２３は、例えば、図６に示されるように、項目ＩＤ「０００１」、及び計測日時「20170511 21:30」である診療データを、「ＣＲＥＡ−第一表示」に分類する。「ＣＲＥＡ−第一表示」は、例えば、項目名が「ＣＲＥＡ」（項目ＩＤが「０００１」）の診療データについて、第一の表示形式に分類されていることを示す。「ＣＲＥＡ−第一表示」に分類された診療データは、例えば、項目名が「ＣＲＥＡ」とは異なる項目名（項目ＩＤ）である診療データとは、区別される態様で例えば医用端末１が備えるディスプレイ１３に表示される。また、「ＣＲＥＡ−第一表示」に分類された診療データは、例えば、項目名が「ＣＲＥＡ」の診療データについて、他の表示形式に分類された診療データと区別される態様で例えば医用端末１が備えるディスプレイ１３に表示される。
【００５１】
このとき、処理回路２３は、基準データを、例えば、図６に示されるように、「ＡＳＴ（ＧＯＴ）−第一表示」に予め分類している。「ＡＳＴ（ＧＯＴ）−第一表示」は、例えば、項目名が「ＡＳＴ（ＧＯＴ）」（項目ＩＤが「００１０」）の診療データについて、第一の表示形式に分類されていることを示す。「ＡＳＴ（ＧＯＴ）−第一表示」に分類された診療データは、例えば、項目名が「ＡＳＴ（ＧＯＴ）」とは異なる項目名（項目ＩＤ）である診療データとは、区別される態様で例えば医用端末１が備えるディスプレイ１３に表示される。また、「ＡＳＴ（ＧＯＴ）−第一表示」に分類された診療データは、例えば、項目名が「ＡＳＴ（ＧＯＴ）」の診療データについて、他の表示形式に分類された診療データと区別される態様で例えば医用端末１が備えるディスプレイ１３に表示される。
【００５２】
処理回路２３は、ステップＳＡ８において診療データの分類処理を実行した後、他にレコードが存在するか否か判定する（ステップＳＡ１２）。
【００５３】
処理回路２３は、基準データと比較すべき診療データが他に１１個存在するため（ステップＳＡ１２のＹｅｓ）、図５に示される基準データとして設定された診療データ以外の診療データから１つの診療データを読み出す（ステップＳＡ５）。処理回路２３は、例えば、図５に示される項目ＩＤ「０００１」、及び計測日時「20170515 09:00」である診療データを読み出す。
【００５４】
処理回路２３は、基準データに設定した診療データと、読み出した診療データとの類似度を算出する（ステップＳＡ６）。このとき、図６に示されるように、計測日時「20170511 21:30」である診療データと同様に、基準データに設定した診療データと、読み出した項目ＩＤ「０００１」、及び計測日時「20170515 09:00」である診療データとの距離の合計値は１１と算出される。これにより、図４に示されるステップＳＡ６の類似度の算出処理は終了する。
【００５５】
処理回路２３は、算出した距離が所定の閾値Ａより大きいか否か判定する（ステップＳＡ７）。処理回路２３は、算出した距離が１１のため、算出した距離が閾値Ａより大きいと判定し（ステップＳＡ７のＹｅｓ）、例えば、図６に示されるように、項目ＩＤ「０００１」、及び計測日時「20170515 09:00」である診療データを、「ＣＲＥＡ−第一表示」に分類する。
【００５６】
処理回路２３は、ステップＳＡ８において診療データの分類処理を実行した後、他にレコードが存在するか否か判定する（ステップＳＡ１２）。
【００５７】
処理回路２３は、基準データと比較すべき診療データが他に１０個存在するため（ステップＳＡ１２のＹｅｓ）、図５に示される基準データとして設定された診療データ以外の診療データから１つの診療データを読み出す（ステップＳＡ５）。処理回路２３は、例えば、図５に示される項目ＩＤ「０００１」、及び計測日時「20170517 14:45」である診療データを読み出す。
【００５８】
処理回路２３は、基準データに設定した診療データと、読み出した診療データとの類似度を算出する（ステップＳＡ６）。このとき、図６に示されるように、項目ＩＤ「０００１」、及び計測日時「20170511 21:30」である診療データと同様に、基準データに設定した診療データと、読み出した項目ＩＤ「０００１」、及び計測日時「20170517 14:45」である診療データとの距離の合計値は１１と算出される。これにより、図４に示されるステップＳＡ６の類似度の算出処理は終了する。
【００５９】
処理回路２３は、算出した距離が所定の閾値Ａより大きいか否か判定する（ステップＳＡ７）。処理回路２３は、算出した距離が１１のため、算出した距離が閾値Ａより大きいと判定し（ステップＳＡ７のＹｅｓ）、例えば、図６に示されるように、項目ＩＤ「０００１」、及び計測日時「20170515 09:00」である診療データを、「ＣＲＥＡ−第一表示」に分類する。
【００６０】
処理回路２３は、ステップＳＡ８において診療データの分類処理を実行した後、他にレコードが存在するか否か判定する（ステップＳＡ１２）。
【００６１】
処理回路２３は、基準データと比較すべき診療データが他に９個存在するため（ステップＳＡ１２のＹｅｓ）、図５に示される基準データとして設定された診療データ以外の診療データから１つの診療データを読み出す（ステップＳＡ５）。処理回路２３は、例えば、図５に示される項目ＩＤ「００１０」、及び計測日時「20170426 09:15」である診療データを読み出す。
【００６２】
処理回路２３は、図６に示されるように、基準データに設定した診療データ、及び読み出した診療データのデータ属性「項目ＩＤ」が「００１０」で同一、かつ、基準データに設定した診療データ、及び読み出した診療データのデータ属性「単位」が「Ｕ／Ｉ」で同一であるため、データ間の距離を０と算出する（ステップＳＡ６）。
【００６３】
処理回路２３は、算出した距離が所定の閾値Ａより大きいか否か判定する（ステップＳＡ７）。
【００６４】
処理回路２３は、算出した距離が０のため、算出した距離が閾値Ａより大きくない、すなわち閾値Ａ以下であると判定し（ステップＳＡ７のＮｏ）、算出した距離が所定の閾値Ｂより大きいか否か判定する（ステップＳＡ８）。所定の閾値Ｂは、例えば、０である。
【００６５】
処理回路２３は、算出した距離が０のため、算出した距離が閾値Ｂより大きくない、すなわち閾値Ｂ以下であると判定し（ステップＳＡ８のＮｏ）、例えば、図６に示されるように、項目ＩＤ「００１０」、及び計測日時「20170426 09:15」である診療データを、「ＡＳＴ（ＧＯＴ）−第一表示」に分類する（ステップＳＡ１０）。
【００６６】
処理回路２３は、ステップＳＡ１０において診療データの分類処理を実行した後、他にレコードが存在するか否か判定する（ステップＳＡ１２）。
【００６７】
処理回路２３は、基準データと比較すべき診療データが他に８個存在するため（ステップＳＡ１２のＹｅｓ）、図５に示される基準データとして設定された診療データ以外の診療データから１つの診療データを読み出す（ステップＳＡ５）。処理回路２３は、例えば、図５に示される項目ＩＤ「００１０」、及び計測日時「20170428 15:30」である診療データを読み出す。
【００６８】
処理回路２３は、図６に示されるように、基準データに設定した診療データ、及び読み出した診療データのデータ属性「項目ＩＤ」が「００１０」で同一、かつ、基準データに設定した診療データ、及び読み出した診療データのデータ属性「単位」が「Ｕ／Ｉ」で同一であるため、データ間の距離を０と算出する（ステップＳＡ６）。
【００６９】
処理回路２３は、算出した距離が所定の閾値Ａより大きいか否か判定する（ステップＳＡ７）。
【００７０】
処理回路２３は、算出した距離が０のため、算出した距離が閾値Ａより大きくない、すなわち閾値Ａ以下であると判定し（ステップＳＡ７のＮｏ）、算出した距離が所定の閾値Ｂより大きいか否か判定する（ステップＳＡ８）。
【００７１】
処理回路２３は、算出した距離が０のため、算出した距離が閾値Ｂより大きくない、すなわち閾値Ｂ以下であると判定し（ステップＳＡ８のＮｏ）、例えば、図６に示されるように、項目ＩＤ「００１０」、及び計測日時「20170428 15:30」である診療データを、「ＡＳＴ（ＧＯＴ）−第一表示」に分類する（ステップＳＡ１０）。
【００７２】
処理回路２３は、ステップＳＡ１０において診療データの分類処理を実行した後、他にレコードが存在するか否か判定する（ステップＳＡ１２）。
【００７３】
処理回路２３は、基準データと比較すべき診療データが他に７個存在するため（ステップＳＡ１２のＹｅｓ）、図５に示される基準データとして設定された診療データ以外の診療データから１つの診療データを読み出す（ステップＳＡ５）。処理回路２３は、例えば、図５に示される項目ＩＤ「００１０」、及び計測日時「20170501 10:15」である診療データを読み出す。
【００７４】
処理回路２３は、図６に示されるように、基準データに設定した診療データ、及び読み出した診療データのデータ属性「項目ＩＤ」が「００１０」で同一であるが、基準データに設定した診療データ、及び読み出した診療データのデータ属性「単位」が「Ｕ／Ｉ」と「ＩＵ／Ｉ」で異なるため、データ間の距離を１と算出する（ステップＳＡ６）。
【００７５】
処理回路２３は、算出した距離が所定の閾値Ａより大きいか否か判定する（ステップＳＡ７）。
【００７６】
処理回路２３は、算出した距離が０のため、算出した距離が閾値Ａより大きくない、すなわち閾値Ａ以下であると判定し（ステップＳＡ７のＮｏ）、算出した距離が所定の閾値Ｂより大きいか否か判定する（ステップＳＡ８）。
【００７７】
処理回路２３は、算出した距離が１のため、算出した距離が閾値Ｂより大きいと判定し（ステップＳＡ８のＹｅｓ）、例えば、図６に示されるように、項目ＩＤ「００１０」、及び計測日時「20170501 10:15」である診療データを、「ＡＳＴ（ＧＯＴ）−第二表示」に分類する（ステップＳＡ１０）。「ＡＳＴ（ＧＯＴ）−第二表示」は、例えば、項目名が「ＡＳＴ（ＧＯＴ）」（項目ＩＤが「００１０」）の診療データについて、第二の表示形式に分類されていることを示す。「ＡＳＴ（ＧＯＴ）−第二表示」に分類された診療データは、例えば、項目名が「ＡＳＴ（ＧＯＴ）」とは異なる項目名（項目ＩＤ）である診療データとは、区別される態様で表示される。また、「ＡＳＴ（ＧＯＴ）−第二表示」に分類された診療データは、例えば、項目名が「ＡＳＴ（ＧＯＴ）」の診療データについて、他の表示形式、例えば「ＡＳＴ（ＧＯＴ）−第一表示」に分類された診療データと区別される態様で表示される。
【００７８】
処理回路２３は、ステップＳＡ１０において診療データの分類処理を実行した後、他にレコードが存在するか否か判定する（ステップＳＡ１２）。
【００７９】
以下同様に、処理回路２３は、基準データと比較すべき診療データが他に７個存在するため（ステップＳＡ１２のＹｅｓ）、残りの７個の診療データについて、ステップＳＡ５からステップＳＡ１２までをそれぞれ繰り返し実行する。これにより、図６に示されるように、項目ＩＤ「００１０」、及び計測日時「20170502 09:00」である診療データ、項目ＩＤ「００１０」、及び計測日時「20170506 14:45」である診療データ、項目ＩＤ「００１０」、及び計測日時「20170508 21:30」である診療データ、項目ＩＤ「００１０」、及び計測日時「20170510 21:30」である診療データ、項目ＩＤ「００１０」、及び計測日時「20170511 21:30」である診療データ、並びに項目ＩＤ「００１０」、及び計測日時「20170515 09:00」である診療データの表示方法は、「ＡＳＴ（ＧＯＴ）−第一表示」、「ＡＳＴ（ＧＯＴ）−第一表示」、「ＡＳＴ（ＧＯＴ）−第二表示」、「ＡＳＴ（ＧＯＴ）−第二表示」、「ＡＳＴ（ＧＯＴ）−第一表示」、及び「ＡＳＴ（ＧＯＴ）−第一表示」にそれぞれ分類される。
【００８０】
このように、処理回路２３は、１２個の診療データの分類処理を実行した後、他にレコードが存在するか否か判定する（ステップＳＡ１２）。
【００８１】
処理回路２３は、基準データと比較すべき診療データが他に存在しないため（ステップＳＡ１２のＮｏ）、分類機能２３３による診療データの分類結果に基づいて、分類グループ毎に区別される表示態様（表示形式）で分類された診療データを共通の時間軸上でグラフ化した表示画面を表す表示画面データを生成する（ステップＳＡ１３）。このとき、処理回路２３は、図５に示されるように、複数の項目名に亘る診療データが存在するため、例えば、表示画面データを項目名単位で生成する。
【００８２】
処理回路２３は、例えば、通信インターフェース２１を介し、生成した表示画面データを医用端末１に送信する（ステップＳＡ１４）。
【００８３】
医用端末１が備える処理回路１１は、医用サーバ２から送信された表示画面データを受信する。そして、処理回路１１は、例えば、入力インターフェース１２を介した表示対象となる項目名（検査項目）の指定を受け付ける。処理回路１１は、表示対象となる項目名の指定、例えば項目名「ＡＳＴ（ＧＯＴ）」の指定を受け付けると、表示制御機能１１２を実行し、項目名「ＡＳＴ（ＧＯＴ）」に対応する表示画面データに基づく表示画面をディスプレイ１３に表示する。
【００８４】
図７は、図２に示される医用端末１のディスプレイ１３に表示される表示画面の例を示す図である。図７に示される診療データは、例えば患者ＩＤ「Ｐ０００１」についての検体検査の結果を表す。図７において、処理回路１１は、例えばドロップダウンリストＤＬ７に含まれる項目名のうち、一の項目名が指定されると、指定された項目名に対応する検査結果を表示する。図７に示されるドロップダウンリストＤＬ７により、例えば、「ＡＳＴ（ＧＯＴ）」、及び「ＣＲＥＡ」等に表示対象を切り替え可能である。「ＡＳＴ（ＧＯＴ）」は、例えば、項目名が「ＡＳＴ（ＧＯＴ）」である診療データを表示対象とすることを示す。「ＣＲＥＡ」は、例えば、項目名が「ＣＲＥＡ」である診療データを表示対象とすることを示す。図７では、「ＡＳＴ（ＧＯＴ）」が指定されている。このため、図７では、処理回路１１は、指定された「ＡＳＴ（ＧＯＴ）」に対応する検体検査の結果を表示している。
【００８５】
図７によれば、処理回路１１は、「ＡＳＴ（ＧＯＴ）−第一表示」に分類された診療データをグラフＧ７１として表示している。図７において、グラフＧ７１は、縦軸を単位「Ｕ／Ｉ」で表される軸、横軸を時間軸とする折れ線グラフの態様で表示されている。図７に示される時間軸が表す期間は、「20170423 00:00」から「20170517 24:00」までの期間である。
【００８６】
また、図７によれば、処理回路１１は、図５に示される診療データのうち、「ＡＳＴ（ＧＯＴ）−第二表示」に分類された診療データを、グラフＧ７１が含まれる領域とは異なる上部の領域に含まれる1本の線分上にグラフＧ７２として表示している。このとき、処理回路１１は、グラフ７２に含まれる診療データに対応する各要素を、グラフ７１が表示される領域に含まれる時間軸と同じ時間軸に表示している。
【００８７】
図７によれば、処理回路１１は、基準データと同じ分類グループ「ＡＳＴ（ＧＯＴ）−第一表示」に分類された診療データについて、時間軸で表される時間情報に加えて縦軸の単位「Ｕ／Ｉ」に関する情報も表示している。処理回路１１は、基準データとは項目名（項目ＩＤ）は同じであるが単位が異なる診療データ、すなわち分類グループ「ＡＳＴ（ＧＯＴ）−第二表示」に分類された診療データについて、時間軸で表される時間情報のみ表示している。このように、基準データが分類された表示形式とは異なる表示形式に分類された診療データについて、縦軸の情報量を落とすことでより多くの種類の条件の診療データを同時に表示することが可能となる。
【００８８】
これにより、ユーザは、例えば、グラフＧ７１で表される診療データとグラフＧ７２で表される診療データとが、異なる環境で取得されたことを認識できる。
【００８９】
このとき、ユーザは、例えば、入力インターフェース１２を介して、図７に示されるカーソルＣＲ７を、グラフＧ７２に含まれる各要素に合せる（重畳させる）ことにより、各要素の詳細な情報を文字として確認可能である。図７では、「ＡＳＴ（ＧＯＴ）−第二表示」に分類された図５に示される項目ＩＤ「００１０」、及び計測日時「20170501 10:15」である診療データにカーソルＣＲ７が合せられており、この診療データに関する詳細な情報が吹き出しＢ７の態様で表示されている。図７に示される吹き出しＢ７では、「2017-May-01 10:15 AST(GOT):3.6IU/I」が表示されている。これにより、ユーザは、例えば、Ｇ７１で表される診療データと、Ｇ７２で表される診療データの単位が異なることを認識することができる。
【００９０】
なお、処理回路１１は、図５に示される診療データのうち、指定された項目名（項目ＩＤ）と項目名（項目ＩＤ）が異なり、図４に示されるステップＳＡ８において基準データとは異なる診療データとして「ＣＲＥＡ−第一表示」に分類された診療データを表示しない。
【００９１】
なお、処理回路１１は、医用サーバ２により表示方法が決定された診療データを他の表示態様で表示することも可能である。
【００９２】
図８は、図２に示される医用端末のディスプレイに表示される診療データの例を示す図である。図８に示される診療データは、例えば患者ＩＤ「Ｐ０００１」についての検体検査の結果を表す。図８において、処理回路１１は、例えばドロップダウンリストＤＬ８に含まれる項目名のうち、一の項目名が指定されると、指定された項目名に対応する検査結果を表示する。図８では、項目名「ＡＳＴ（ＧＯＴ）」が指定されている。
【００９３】
図８によれば、処理回路１１は、「ＡＳＴ（ＧＯＴ）−第一表示」に分類された診療データをグラフＧ８１として表示している。図８において、グラフＧ８１は、縦軸を単位「Ｕ／Ｉ」で表される軸、横軸を時間軸とする折れ線グラフの態様で表示されている。図８に示される時間軸が表す期間は、「20170423 00:00」から「20170517 24:00」までの期間である。
【００９４】
また、図８によれば、処理回路１１は、図５に示される診療データのうち、「ＡＳＴ（ＧＯＴ）−第二表示」に分類された診療データを、グラフＧ８１と同一時間軸上に、グラフＧ８１の折れ線グラフとは別の態様である棒グラフの態様でグラフＧ８２として、グラフＧ８１が含まれる領域を塗りつぶすように重畳表示している。
【００９５】
また、処理回路１１は、「ＡＳＴ（ＧＯＴ）−第二表示」に分類された診療データの単位を「ＩＵ／Ｉ」から「Ｕ／Ｉ」に変換し、「ＡＳＴ（ＧＯＴ）−第一表示」に分類された診療データと共に表示するようにしてもよい。
【００９６】
図９は、図２に示される医用端末のディスプレイに表示される診療データの例を示す図である。図９に示される診療データは、例えば患者ＩＤ「Ｐ０００１」についての検体検査の結果を表す。図９において、処理回路１１は、例えばドロップダウンリストＤＬ９に含まれる項目名のうち、一の項目名が指定されると、指定された項目名に対応する検査結果を表示する。図９では、項目名「ＡＳＴ（ＧＯＴ）」が指定されている。
【００９７】
図９によれば、処理回路１１は、「ＡＳＴ（ＧＯＴ）−第一表示」に分類された診療データをグラフＧ９１として表示している。図９において、グラフＧ９１は、縦軸を単位「Ｕ／Ｉ」で表される軸、横軸を時間軸とする折れ線グラフの態様で表示されている。図９に示される時間軸が表す期間は、「20170423 00:00」から「20170517 24:00」までの期間である。
【００９８】
また、図９によれば、処理回路１１は、図５に示される診療データのうち、「ＡＳＴ（ＧＯＴ）−第二表示」に分類された診療データを、グラフＧ９１と同一時間軸上に、グラフＧ９１が含まれる領域と同じ領域に区別される態様でグラフＧ９２として表示している。
【００９９】
図９によれば、処理回路１１は、「ＡＳＴ（ＧＯＴ）−第一表示」に分類された診療データ、及び「ＡＳＴ（ＧＯＴ）−第一表示」に分類された診療データの両方について、時間軸で表される時間情報に加えて縦軸の単位「Ｕ／Ｉ」に関する情報も表示している。これにより、ユーザは、例えば、「ＡＳＴ（ＧＯＴ）−第二表示」に分類された診療データについて、「ＡＳＴ（ＧＯＴ）−第一表示」分類された診療データと値を直接比較しながら視認することが可能となる。
【０１００】
第１の実施形態によれば、医用サーバ２が備える処理回路２３は、患者について蓄積されている診療データに関するデータ属性を抽出する。処理回路２３は、蓄積されている複数の診療データのうち、指定された診療データと、それ以外の診療データとの類似度を診療データが有するデータ属性に基づいて演算する。処理回路２３は、演算した類似度に基づいて、診療データを複数の分類グループのいずれか１つに分類する。処理回路２３は、分類グループ毎に区別される表示態様で分類された診療データを共通の時間軸上でグラフ化した表示画面を生成する。
【０１０１】
これにより、決定された表示方法に従い表示される診療データを参照するユーザは、例えば、取得された環境が異なるためデータ属性が一部異なるが、基準データとの類似度を表す距離が近い診療データも参照することができる。このため、ユーザは、診療上意味のある情報をより多く把握することができる。また、ユーザは、例えば、決定された表示方法の違いにより診療データのデータ属性が異なることを認識できる。このため、表示された診療データがユーザにより誤認される可能性が減少する。
【０１０２】
また、異なる装置及び異なる設定等の異なる環境下で取得された診療データが混在する状況において、システムで蓄積された診療データを自動的に統合して表示したとしても、誤って統合される可能性があり、安全上のリスクが生じる。このような問題は、複数の施設に亘って蓄積された診療データを統合して表示する場合に顕著に表れる。第１の実施形態に係る医用サーバ２によれば、互いに関連する分類グループに分類された診療データが分類グループ単位で網羅的に表示されるため、データ見逃しや誤ったデータ統合による安全上のリスクを軽減できる。
【０１０３】
（変形例１）
第１の実施形態では、医用サーバ２が備える処理回路２３は、診療データが有する計測値として数値が含まれているものを、分類処理していたがこれに限定されない。処理回路２３は、例えば、診療データが有する計測値としては、非数値、例えば文字列等が含まれている診療データの表示形式を分類するようにしてもよい。
【０１０４】
図１０は、変形例１において、一連のデータ属性が付随された診療データを示す図である。図１０によれば、１０個の診療データが示されている。また、図１０によれば、各診療データは、例えば、計測値、及び計測値に不随する計測日時等のデータ属性を有する。図１０に示される診療データの集合には、例えば、計測日時「20170426 09:15」、及び計測値「−」である診療データ、計測日時「20170428 15:30」、及び計測値「＋」である診療データ、計測日時「20170501 10:15」、及び計測値「３．６」である診療データ、計測日時「20170502 09:00」、及び計測値「＋＋」である診療データ、計測日時「20170506 14:45」、及び計測値「＋＋」である診療データ、計測日時「20170508 21:30」、及び計測値「３．８」である診療データ、計測日時「20170510 21:30」、及び計測値「４．５」である診療データ、計測日時「20170511 21:30」、及び計測値「＋」である診療データ、計測日時「20170515 09:00」、及び計測値「−」である診療データ、並びに、計測日時「20170517 14:45」、及び計測値「−」である診療データが含まれている。
【０１０５】
このとき、図３に示される医用サーバ２が備える処理回路２３は、図１０に示される診療データを計測値の種類によって分類する。処理回路２３は、例えば、計測値と表示形式との関係を示す対応表を用いて、診療データを分類する。例えば、計測値が数値である診療データを第一の表示形式、計測値が「＋＋」である診療データを第二の表示形式、計測値が「＋」である診療データを第三の表示形式、計測値が「−」である診療データを第四の表示形式に分類する。処理回路２３は、分類結果に基づいて、分類グループ毎に区別される表示態様で分類された診療データを共通の時間軸上でグラフ化した表示画面を表す表示画面データを生成する。
【０１０６】
処理回路２３は、例えば、通信インターフェース２１を介し、生成した表示画面データを医用端末１に送信する。
【０１０７】
図２に示される医用端末１備える処理回路１１は、医用サーバ２から送信された表示画面データを受信すると、表示制御機能１１２を実行し、ディスプレイ１３に表示画面データに基づく表示画面を表示する。
【０１０８】
図１１は、変形例１において、図２に示される医用端末１のディスプレイ１３に表示される表示画面の例を示す図である。図１１では、図１０に示される診療データが所定の表示形式に分類されて共通の時間軸に沿って表示されている。
【０１０９】
図１１によれば、第一の表示形式として分類された診療データは、「数値」の行に「二重丸」で、１本の線分上に表示されている。また、第二の表示形式として分類された診療データは、「＋＋」の行に「黒丸」で、１本の線分上に表示されている。また、第三の表示形式として分類された診療データは、「＋」の行に「黒丸」で、１本の線分上に表示されている。また、第三の表示形式として分類された診療データは、「−」の行に「黒丸」で、１本の線分上に表示されている。
【０１１０】
変形例１によれば、医用サーバ２が備える処理回路２３は、例えば、診療データが有する計測値として非数値が含まれている診療データの表示形式を分類する。これにより、ユーザは、より広い範囲において様々な種類の診療上意味のある情報を把握することができる。
【０１１１】
（変形例２）
第１の実施形態では、データ属性のうち項目名（項目ＩＤ）、及び単位に基づいて、類似度の算出、及び表示方法の決定が実行される場合について説明したがこれに限定されない。変形例２では、項目名（項目ＩＤ）、及び単位に加え、例えば「計測値」、並びに、画像検査（エコー）の計測値のデータ属性である「検査者」、及び「装置名」に基づいて、類似度の算出、及び表示方法の決定が実行される場合について説明する。
【０１１２】
図１２は、変形例２において、図３に示される医用サーバ２が備える処理回路２３の動作を説明するための図である。図１２において、例えば、データ属性「項目ＩＤ」が異なる場合の距離は「１０」、データ属性「装置名」が異なる場合の距離は「５」、データ属性「検査者」が異なる場合の距離は「２」、「計測値」が外れ値として基準データの計測値と大きく異なる場合の距離は「１」であると所定の方法により予め設定されているものとする。また、図４に示されるフローチャートにおいて、閾値Ａ＝５、閾値Ｂ＝１に予め設定されているものとする。すなわち、処理回路２３は、「検査者」が異なる診療データは類似度が高いと判断し、例えば、「第二の表示形式」に分類するが、「装置名」が異なる診療データは類似度が低いと判断し、基準データとは異なる診療データとして分類する。また、各種データ属性は同じであっても「計測値」が他の診療データの結果とは大きく異なる診療データは、測定条件が異なる又は測定ミスがあるとして、「第二の表示形式」に分類する。
【０１１３】
なお、以下の説明では、表示指示となる診療データは、同一の患者ＩＤのものであり、診療データ間で患者ＩＤが異なることはないものとする。また、表示指示となる診療データのデータ属性「単位」の値は、すべて「ｍｍ」であるものとする。
【０１１４】
図１２によれば、変形例２に係る一連のデータ属性が付随された各診療データは、例えば、計測値、並びに、計測値に不随する患者ＩＤ、項目ＩＤ、項目名、計測日時、装置名、検査者、及び単位等のデータ属性を有する。図１２に示されるように、変形例２に係る一連のデータ属性が付随された診療データの集合には、例えば、患者ＩＤ「Ｐ０００１」、項目ＩＤ「０００１」、項目名「ＬＶＩＤｄ（拡張末期左室内径：Left Ventricular Internal Dimension in Diastole）（２Ｄ）」、計測日時「20170511 21:30」、装置名「Ａ社製エコー」、検査者「技師Ｙ」、計測値「３４」、及び単位「ｍｍ」である診療データ、患者ＩＤ「Ｐ０００１」、項目ＩＤ「０００１」、項目名「ＬＶＤｄ（左室拡張末期径：Left Ventricular Dimension in Diastole）」、計測日時「20170515 09:00」、装置名「Ａ社製エコー」、検査者「技師Ｙ」、計測値「２７」、及び単位「ｍｍ」である診療データ、並びに、患者ＩＤ「Ｐ０００１」、項目ＩＤ「０００１」、項目名「ＬＶＤｄ」、計測日時「20170517 14:45」、装置名「Ａ社製エコー」、検査者「技師Ｘ」、計測値「２０」、及び単位「ｍｍ」である診療データが含まれている。
【０１１５】
また、図１２に示されるように、変形例２に係る一連のデータ属性が付随された診療データの集合には、患者ＩＤ「Ｐ０００１」、項目ＩＤ「００１０」、項目名「ＬＶＩＤｄ（Ｍ）」、計測日時「20170420 00:00」、装置名「Ａ社製エコー」、検査者「技師Ｙ」、計測値「３６」、及び単位「ｍｍ」である診療データ、患者ＩＤ「Ｐ０００１」、項目ＩＤ「００１０」、項目名「ＬＶＩＤｄ（Ｍ）」、計測日時「20170426 09:15」、装置名「Ａ社製エコー」、検査者「技師Ｘ」、計測値「２６」、及び単位「ｍｍ」である診療データ、患者ＩＤ「Ｐ０００１」、項目ＩＤ「００１０」、項目名「ＬＶＩＤｄ（Ｍ）」、計測日時「20170428 15:30」、装置名「Ｂ社製エコー」、検査者「技師Ｘ」、計測値「２９」、及び単位「ｍｍ」である診療データ、患者ＩＤ「Ｐ０００１」、項目ＩＤ「００１０」、項目名「ＬＶＩＤｄ（Ｍ）」、計測日時「20170429 10:15」、装置名「Ｂ社製エコー」、検査者「技師Ｘ」、計測値「３７」、及び単位「ｍｍ」である診療データ、患者ＩＤ「Ｐ０００１」、項目ＩＤ「００１０」、項目名「ＬＶＩＤｄ（Ｍ）」、計測日時「20170501 00:00」、装置名「Ａ社製エコー」、検査者「技師Ｙ」、計測値「４２」、及び単位「ｍｍ」である診療データ、患者ＩＤ「Ｐ０００１」、項目ＩＤ「００１０」、項目名「ＬＶＩＤｄ（Ｍ）」、計測日時「20170503 21:30」、装置名「Ａ社製エコー」、検査者「技師Ｙ」、計測値「１２０」、及び単位「ｍｍ」である診療データ、並びに、患者ＩＤ「Ｐ０００１」、項目ＩＤ「００１０」、項目名「ＬＶＩＤｄ（Ｍ）」、計測日時「20170508 09:00」、装置名「Ａ社製エコー」、検査者「技師Ｙ」、計測値「３９」、及び単位「ｍｍ」である診療データが含まれている。
【０１１６】
このとき、図３に示される医用サーバ２が備える処理回路２３は、例えば、図４に示されるフローチャートのステップＳＡ４において、図１２に示される診療データのうち、例えば、項目名「ＬＶＩＤｄ（Ｍ））」（項目ＩＤ「００１０」）の診療データのうち、最新の計測日時「20170508 09:00」を有する１つの診療データを基準データに設定する。項目名は、例えば、入力インターフェース１２を介してユーザにより指定されることにより決定される。
【０１１７】
処理回路２３は、図１２に示される設定された基準データと比較すべき９個の診療データについて、図４に示されるステップＳＡ５からステップＳＡ１２までをそれぞれ繰り返し実行する。
【０１１８】
これにより、図１２に示されるように、項目ＩＤ「０００１」、及び計測日時「20170511 21:30」である診療データ、項目ＩＤ「０００１」、及び計測日時「20170515 09:00」である診療データ、並びに、項目ＩＤ「０００１」、及び計測日時「20170517 14:45」である診療データと基準データとの距離は、それぞれ「１０」、「１０」、及び「１２」と算出される。そして、項目ＩＤ「０００１」、及び計測日時「20170511 21:30」である診療データ、項目ＩＤ「０００１」、及び計測日時「20170515 09:00」である診療データ、並びに、項目ＩＤ「０００１」、及び計測日時「20170517 14:45」である診療データは、「ＬＶＤｄ−第二表示」、「ＬＶＤｄ−第二表示」、及び「ＬＶＤｄ−第一表示」にそれぞれ分類される。
【０１１９】
また、図１２に示されるように、項目ＩＤ「００１０」、及び計測日時「20170420 00:00」である診療データ、項目ＩＤ「００１０」、及び計測日時「20170426 09:15」である診療データ、項目ＩＤ「００１０」、及び計測日時「20170428 15:30」である診療データ、項目ＩＤ「００１０」、及び計測日時「20170429 10:15」である診療データ、項目ＩＤ「００１０」、及び計測日時「20170501 00:00」である診療データ、項目ＩＤ「００１０」、及び計測日時「20170503 21:30」である診療データと基準データとの距離は、それぞれ「０」、「２」、「５」、「５」、「０」、及び「１」と算出される。そして、項目ＩＤ「００１０」、及び計測日時「20170420 00:00」である診療データ、項目ＩＤ「００１０」、及び計測日時「20170426 09:15」である診療データ、項目ＩＤ「００１０」、及び計測日時「20170428 15:30」である診療データ、項目ＩＤ「００１０」、及び計測日時「20170429 10:15」である診療データ、項目ＩＤ「００１０」、及び計測日時「20170501 00:00」である診療データ、項目ＩＤ「００１０」、及び計測日時「20170503 21:30」である診療データは、「ＬＶＩＤｄ（Ｍ）−第一表示」、「ＬＶＩＤｄ（Ｍ）−第二表示」、「Ｂ社 ＬＶＩＤｄ（Ｍ）−第一表示」、「Ｂ社 ＬＶＩＤｄ（Ｍ）−第一表示」、「ＬＶＩＤｄ（Ｍ）−第一表示」、及び「ＬＶＩＤｄ（Ｍ）−第二表示」にそれぞれ分類される。
【０１２０】
処理回路２３は、９個の診療データの分類処理を実行した後、例えば図４に示されるステップＳＡ１２において、他にレコードが存在するか否か判定する。
【０１２１】
処理回路２３は、基準データと比較すべき診療データが他に存在しないため（図４に示されるステップＳＡ１２のＮｏ）、例えば、通信インターフェース２１を介し、処理結果を医用端末１に送信する（図４に示されるステップＳＡ１３）。具体的には、処理回路２３は、通信インターフェース２１を介し、基本データに設定された診療データを含む診療データの表示方法の分類結果を医用端末１に送信する。
【０１２２】
医用端末１が備える処理回路１１は、医用サーバ２から送信された診療データの表示方法の分類結果を受信すると、例えば、入力インターフェース１２を介した表示対象となる項目名の指定を受け付ける。処理回路１１は、表示対象となる項目名の指定、例えば項目名「ＬＶＩＤｄ（Ｍ）」の指定を受け付けると、表示制御機能１１２を実行し、医用サーバ２から受信した分類結果に従って、ディスプレイ１３に診療データを表示する。
【０１２３】
図１３は、変形例２において、図２に示される医用端末１のディスプレイ１３に表示される表示画面の例を示す図である。図１３に示される診療データは、例えば患者ＩＤ「Ｐ０００１」についての検体検査の結果を表す。図１３において、処理回路１１は、例えばドロップダウンリストＤＬ１３に含まれる項目名のうち、一の項目名が指定されると、指定された項目名に対応する検査結果を表示する。図１３に示されるドロップダウンリストＤＬ１３により、例えば、「ＬＶＩＤｄ（Ｍ）」、「Ｂ社 ＬＶＩＤｄ（Ｍ）」、及び「ＬＶＤｄ」等に表示対象を切り替え可能である。「ＬＶＩＤｄ（Ｍ）」は、例えば、項目名が「ＬＶＩＤｄ（Ｍ）」、かつ、装置名が「Ａ社製エコー」である診療データを表示対象とすることを示す。「Ｂ社 ＬＶＩＤｄ（Ｍ）」は、例えば、項目名が「ＬＶＩＤｄ（Ｍ）」、かつ、装置名が「Ｂ社製エコー」である診療データを表示対象とすることを示す。「ＬＶＤｄ」は、項目名が「ＬＶＤｄ」又は「ＬＶＤｄ（２Ｄ）」、かつ、装置名が「Ａ社製エコー」である診療データを表示対象とすることを示す。
図１３では、「ＬＶＩＤｄ（Ｍ）」が指定されている。このため、図１３では、処理回路１１は、指定された「ＬＶＩＤｄ（Ｍ）」に対応する画像検査の結果を表示している。
【０１２４】
図１３によれば、処理回路１１は、「ＬＶＩＤｄ（Ｍ）−第一表示」に分類された診療データをグラフＧ１３１として表示している。図１３において、グラフＧ１３１は、縦軸を単位「ｍｍ」で表される軸、横軸を時間軸とする折れ線グラフの態様で表示されている。図７に示される時間軸が表す期間は、「20170419 00:00」から「20170508 24:00」までの期間である。
【０１２５】
また、図１３によれば、処理回路１１は、図１２に示される診療データのうち、「ＬＶＩＤｄ（Ｍ）−第二表示」に分類された診療データを、グラフＧ１３１が含まれる領域とは異なる上部の領域に含まれる1本の線分上にグラフＧ１３２として表示している。このとき、処理回路１１は、グラフ１３２に含まれる診療データに対応する各要素を、グラフ１３１が表示される領域に含まれる時間軸と同じ時間軸に表示している。
【０１２６】
図１３によれば、処理回路１１は、基準データと同じ分類グループ「ＬＶＩＤｄ（Ｍ）−第一表示」に分類された診療データについて、時間軸で表される時間情報に加えて縦軸の単位「ｍｍ」に関する情報も表示している。処理回路１１は、基準データとは項目名（項目ＩＤ）は同じであるが、「単位」、「検査者」、及び「計測値」のうち少なくとも一つが異なる診療データ、すなわち分類グループ「ＬＶＩＤｄ（Ｍ）−第二表示」に分類された診療データについて、時間軸で表される時間情報のみ表示している。このように、基準データが分類された表示形式とは異なる表示形式に分類された診療データについて、縦軸の情報量を落とすことでより多くの種類の条件の診療データを同時に表示することが可能となる。
【０１２７】
これにより、ユーザは、例えば、グラフＧ１３１で表される診療データとグラフＧ１３２で表される診療データとが、異なる環境で取得されたことを認識できる。
【０１２８】
このとき、ユーザは、例えば、入力インターフェース１２を介して、図７に示されるカーソルＣＲ１３を、グラフＧ１３２に含まれる各要素に合せる（重畳させる）ことにより、各要素の詳細な情報を文字として確認可能である。図１３では、「ＬＶＩＤｄ（Ｍ）−第二表示」に分類された図１２に示される項目ＩＤ「００１０」、及び計測日時「20170426 09:15」である診療データにカーソルＣＲ１３が合せられており、この診療データに関する詳細な情報が吹き出しＢ１３１の態様で表示されている。図１３に示される吹き出しＢ１３１では、文字列「2017-Apr-26 09:15 LVIDd(M):26mm」が表示されている。また、図１３に示される吹き出しＢ１３１では、文字列「検査者：技師X」が太字で表示されている。これにより、ユーザは、例えば、Ｇ１３１で表される診療データと、カーソルＣＲ１３が合わせられた診療データの検査者が異なることを認識することができる。なお、文字列「検査者：技師X」は、吹き出しＢ１３１に含まれる他の文字列と異なる色で表示されていてもよい。
【０１２９】
また、図１３に示されるように、図１２に示される項目ＩＤ「００１０」、及び計測日時「20170503 21:30」である診療データにカーソルＣＲ１３が合わせられることにより、この診療データに関する詳細な情報が吹き出しＢ１３２の態様で表示されている。図１３に示される吹き出しＢ１３２では、文字列「2017-May-03 21:30 LVIDd(M):120mm」が表示されている。また、図１３に示される吹き出しＢ１３２では、文字列「検査者：技師Ｙ」が太字で表示されている。ここで、文字列「2017-May-03 21:30 LVIDd(M):120mm」のうち、「120mm」は太字で表示されている。これにより、ユーザは、例えば、カーソルＣＲ１３が合わせられた診療データが有する計測値が、Ｇ１３１で表される各診療データが有する計測値と大きく乖離している、例えば異常値として判定されたことを認識することができる。なお、文字列「120mm」は、吹き出しＢ１３２に含まれる他の文字列と異なる色で表示されていてもよい。
【０１３０】
なお、処理回路１１は、図１２に示される診療データのうち、基準データが有する項目名（項目ＩＤ）と項目名（項目ＩＤ）が異なり、図４に示されるステップＳＡ８において基準データとは異なる診療データとして「ＣＲＥＡ−第一表示」に分類された診療データを表示しない。
【０１３１】
また、処理回路１１は、図１２に示される診療データのうち、基準データが有する装置名「Ａ社製エコー」と異なる装置名「Ｂ社製エコー」を有する診療データを表示しない。
【０１３２】
（変形例３）
第１の実施形態では、基準データが分類された分類グループを含む２つの異なる分類グループに属する診療データを異なる表示形式で表示する場合について説明したがこれに限定されない。変形例３では、基準データが分類された分類グループを含む３つ以上の異なる分類グループに属する診療データを異なる表示形式で表示する場合について説明する。このとき、図３に示される医用サーバ２の処理回路２３は、例えば、基準データが分類された分類グループを含む４つの異なる分類グループが異なる表示形式で表示されるように表示画面データを生成する。以下の説明では、処理回路２３は、項目名が「ＡＳＴ（ＧＯＴ）」である診療データを、例えば、４つの閾値を用いて、「ＡＳＴ（ＧＯＴ）−第一表示」、「ＡＳＴ（ＧＯＴ）−第二表示」、「ＡＳＴ（ＧＯＴ）−第三表示」、及び「ＡＳＴ（ＧＯＴ）−第四表示」の４つの分類グループに分類しているものとする。また、「ＡＳＴ（ＧＯＴ）−第一表示」に分類された診療データの中に、基準データが含まれているものとする。そして、処理回路２３は、分類結果に基づいて、分類グループ毎に区別される表示態様で分類された診療データを共通の時間軸上でグラフ化した表示画面を表す表示画面データを生成する。処理回路２３は、生成した表示画面データを医用端末１に送信する。
【０１３３】
図１４は、変形例３において、図２に示される医用端末１のディスプレイ１３に表示される表示画面の例を示す図である。図１４に示される診療データは、例えば患者ＩＤ「Ｐ０００１」についての検体検査の結果を表す。図１４において、処理回路１１は、例えばドロップダウンリストＤＬ１４に含まれる項目名のうち、一の項目名が指定されると、指定された項目名に対応する検査結果を表示する。図１４では、項目名「ＡＳＴ（ＧＯＴ）」が指定されている。
【０１３４】
図１４によれば、処理回路１１は、例えば、「ＡＳＴ（ＧＯＴ）−第一表示」に分類された診療データをグラフＧ１４１として表示している。グラフＧ１４１が表す診療データには、基準データが含まれる。図１４において、グラフＧ１４１は、縦軸を単位「Ｕ／Ｉ」で表される軸、横軸を時間軸とする折れ線グラフの態様で表示されている。図１４に示される時間軸が表す期間は、「20170423 00:00」から「20170517 24:00」までの期間である。
【０１３５】
図１４に示される表示画面データに基づく表示画面は、基準データが含まれるグラフＧ１４１の他に、Ｇ１４２、Ｇ１４３、及びＧ１４４を含む。Ｇ１４２は、例えば、「ＡＳＴ（ＧＯＴ）−第二表示」に分類された診療データを表している。Ｇ１４３は、例えば、「ＡＳＴ（ＧＯＴ）−第三表示」に分類された診療データを表している。Ｇ１４４は、例えば、「ＡＳＴ（ＧＯＴ）−第四表示」に分類された診療データを表している。
【０１３６】
変形例３によれば、医用サーバ２が備える処理回路２３は、診療データを３つ以上の異なる分類グループに分類する。また、処理回路２３は、分類機能２３３による診療データの分類結果に基づいて、共通の時間軸において、３つ以上の分類グループについて、分類グループ毎に区別される表示態様で診療データがグラフ化された表示画面を表す表示画面データを生成する。これにより、例えば、表示画面データに基づく表示画面を視認したユーザは、診断に必要な情報をより多く、かつ、より詳細に把握することが可能となる。
【０１３７】
（変形例４）
第１の実施形態では、医用サーバ２が備える処理回路２３は、検体検査に関する診療データに基づいて、当該診療データがグラフ化された表示画面を表す表示画面データを生成したがこれに限定されない。変形例４では、処理回路２３が画像検査に関する診療データ例えば医用画像データに基づいて、当該医用画像データがグラフ化された表示画面を表す表示画面データを生成する場合について説明する。
【０１３８】
図１５は、変形例４において、図２に示される医用端末１のディスプレイ１３に表示される表示画面を説明するための図である。
【０１３９】
図１５に示される表示画面ＩＳ１５Ａは、領域１５１、及び領域１５２を含む。領域１５１は、医用画像を縮小したサムネイル画像が表示される領域である。領域１５１は、例えば第１の分類グループに分類されたサムネイル画像データに基づくサムネイル画像が第１の表示形式で表示される領域である。領域１５１は、例えば、複数のサムネイル画像を含む。複数のサムネイル画像は、例えば、表示画面の縦方向に時系列に並んで表示されている。このとき、サムネイル画像を表すサムネイル画像データは、時間情報を含む。
【０１４０】
領域１５２は、ボタンＢ１５を含む。ボタンＢ１５は、例えば、基準画像となるサムネイル画像ＴＩ１５について、他の分類グループに分類されたサムネイル画像データに基づくサムネイル画像を表示するためのボタンである。例えば、ボタンＢ１５がカーソルＣＲ１５により指定されると、図１５に示される表示画面ＩＳ１５Ｂに示されるように、領域Ｒ１５３が新たに表示される。領域１５３は、例えば、サムネイル画像ＴＩ１５について、第２の分類グループに分類されたサムネイル画像データに基づくサムネイル画像が第二の表示形式で表示される領域である。領域１５３は、例えば、複数のサムネイル画像を含む。複数のサムネイル画像は、例えば、表示画面の縦方向に時系列に並んで表示されている。このとき、サムネイル画像を表すサムネイル画像データは、時間情報を含む。
【０１４１】
変形例４によれば、処理回路２３は、画像検査に関する診療データに基づいて、当該診療データがグラフ化された表示画面を表す表示画面データを生成する。これにより、例えば、表示画面データに基づく表示画面を視認したユーザは、患者の状態をより視覚的に把握することが可能となる。
【０１４２】
［第２の実施形態］
第２の実施形態では、医用端末１又は医用サーバ２が第１の実施形態で説明した機能に加えて、表示されている診療データの表示態様を、分類グループ単位で切り替える機能を有する場合について説明する。以下の説明では、医用端末１が当該機能を有する場合について説明する。
【０１４３】
図１６は、第２の実施形態に係る医用端末１Ａの機能構成を示すブロック図である。図１６に示される医用端末１Ａは、処理回路１１Ａ、入力インターフェース１２、ディスプレイ１３、メモリ１４、及び通信インターフェース１５を有する。処理回路１１Ａ、入力インターフェース１２、ディスプレイ１３、メモリ１４、及び通信インターフェース１５は、例えば、バスを介して互いに通信可能に接続されている。
【０１４４】
処理回路１１Ａは、医用端末１の中枢として機能するプロセッサである。処理回路１１Ａは、例えばメモリ１４等に記憶されている制御プログラムを実行することにより、当該プログラムに対応する機能を実現する。
【０１４５】
図１６に示される入力インターフェース１２、ディスプレイ１３、メモリ１４、及び通信インターフェース１５の構成及び機能は、図２に示される入力インターフェース１２、ディスプレイ１３、メモリ１４、及び通信インターフェース１５の構成及び機能と同様である。
【０１４６】
第２の実施形態に係る処理回路１１Ａは、指示機能１１１、表示制御機能１１２、及び表示切替機能１１３を有する。
【０１４７】
図１６に示される指示機能１１１、及び表示制御機能１１２は、図２に示される指示機能１１１、及び表示制御機能１１２と同様である。
【０１４８】
表示切替機能１１３は、表示されている診療データの表示態様を、分類グループ単位で切り替える機能である。表示切替機能１１３の実行により処理回路１１は、例えばディスプレイ１３に表示されている診療データを、分類グループ単位で、入れ替え、統合、又は分離する。
【０１４９】
指示機能１１１、表示制御機能１１２、及び表示切替機能１１３は、制御プログラムとして組み込まれていてもよいし、処理回路１１自体に各機能を実行可能な専用のハードウェア回路が組み込まれていてもよい。
【０１５０】
次に、表示切替機能１１３の詳細について説明する。表示切替機能１１３は、例えば、入力インターフェース１２を介し、所定の表示切替指示の入力をトリガとして実行される。このとき、処理回路１１Ａは、例えば、表示されている診療データを、分類グループ間で入れ替える。図１７は、図１６に示される医用端末１Ａのディスプレイ１３に表示される表示画面の表示態様の切替を説明するための図である。
【０１５１】
図１７によれば、処理回路１１Ａは、第１の表示画面と第２の表示画面との間で表示画面を切り替えることが可能である。図１７に示される第１の表示画面は、折れ線グラフＧ１７１Ａ、及び、点グラフＧ１７２Ａを含む。また、図１７に示される第２の表示画面は、折れ線グラフＧ１７２Ｂ、及び、点グラフＧ１７１Ｂを含む。このとき、第１の表示画面に含まれる折れ線グラフＧ１７１Ａと、第２の表示画面に含まれる折れ線グラフＧ１７２Ｂとでは、例えば、表示される時間軸（期間）は共通しているが、計測値の表示スケールは異なる。
【０１５２】
例えば、第１の表示画面が表示されている場合において、所定の表示切替指示の入力がされると、処理回路１１Ａは、第１の表示画面に含まれる折れ線グラフＧ１７１Ａで表される診療データが、例えば、第２の表示画面の点グラフ１７１Ｂの表示態様で表示されるように、表示切替処理を実行する。また、処理回路１１Ａは、第１の表示画面に含まれる点グラフＧ１７２Ａで表される診療データが、例えば、第２の表示画面の折れ線グラフ１７２Ｂの表示態様で表示されるように、表示切替処理を実行する。なお、表示切替処理は、例えば、処理回路１１Ａが、所定の表示切替指示に従い新たな表示態様の表示画面データを生成することにより実現される。また、表示切替処理は、処理回路１１Ａが、通信インターフェース１５を介し、医用サーバ２に新たな表示態様の表示画面データの生成指示を出すことにより実現されてもよい。
【０１５３】
図１７のような表示切替により、ユーザは、例えば、複数の分類グループの診療データのうち、所望の分類グループの診療データの詳細を確認することが可能となる。また、表示されている診療データのうち、１部の分類グループに属する診療データの詳細のみ表示されるため、見やすさの観点から利点がある。
【０１５４】
また、処理回路１１Ａは、所定の表示切替指示が入力されると、例えば、表示されている診療データを、分類グループ単位で、統合、又は分離する。図１８は、図１６に示される医用端末１Ａのディスプレイ１３に表示される表示画面の他の表示態様の切替を説明するための図である。
【０１５５】
図１８によれば、処理回路１１Ａは、統合前表示画面と統合後表示画面との間で表示画面を切り替えることが可能である。図１８に示される統合前表示画面は、折れ線グラフＧ１８１、及び、点グラフＧ１８２を含む。折れ線グラフＧ１８１は、例えば、基準データが分類された分類グループに属する診療データを表している。点グラフＧ１８２は、例えば、基準データが分類された分類グループに属さないが、同一の項目名を有する診療データを表している。
【０１５６】
また、図１８に示される統合後表示画面は、折れ線グラフＧ１８３を含む。折れ線グラフＧ１８３は、折れ線グラフＧ１８１と点グラフＧ１８２とが統合された折れ線グラフである。このとき、点グラフＧ１８２に含まれる診療データが有する計測値の表示スケールは、折れ線グラフＧ１８１に含まれる診療データが有する計測値の表示スケールに合わせて統合されている。このため、統合前表示画面に含まれる折れ線グラフＧ１８１と、統合前表示画面に含まれる折れ線グラフＧ１８３とでは、例えば、表示される時間軸（期間）、及び計測値の表示スケールが共通している。
【０１５７】
図１８のような表示切替により、ユーザは、例えば、複数の分類グループの診療データを、必要に応じて１つのグラフで視認することが可能となる。
【０１５８】
また、グラフの統合のされ方は、別々のグラフ領域に表示された２つのグラフを共通の領域に１つの系列のグラフとして表すことに限定されない。例えば、別々の領域に表示されている２つのグラフを、共通の領域に別々の系列のグラフとして表すようにしてもよい。図１９は、図１６に示される医用端末１Ａのディスプレイ１３に表示される表示画面の他の表示態様の切替を説明するための図である。
【０１５９】
図１９によれば、処理回路１１Ａは、統合前表示画面と統合後表示画面との間で表示画面を切り替えることが可能である。図１９に示される統合前表示画面は、折れ線グラフＧ１９１Ａ、及び、点グラフＧ１９２Ａを含む。折れ線グラフＧ１９１Ａは、例えば、基準データが分類された分類グループに属する診療データを表している。点グラフＧ１９２Ａは、例えば、基準データが分類された分類グループに属さないが、同一の項目名を有する診療データを表している。
【０１６０】
また、図１９に示される統合後表示画面は、折れ線グラフＧ１９１Ｂ、及び折れ線グラフＧ１９２Ｂを含む。折れ線グラフＧ１９１Ｂ、及び折れ線グラフＧ１９２Ｂは、表示される時間軸（期間）、及び計測値の表示スケールが共通する１つの領域に、異なる系列のグラフとして表示されている。折れ線グラフＧ１９１Ｂは、折れ線グラフＧ１９１Ａと同一のグラフを表している。このとき、点グラフＧ１９２Ａに含まれる診療データが有する計測値の表示スケールは、折れ線グラフＧ１９１Ａに含まれる診療データが有する計測値の表示スケールに合わせて統合されている。
【０１６１】
また、切替操作には、例えば、分類グループ単位で、診療データを表示対象から削除、又は表示対象として追加する操作が含まれていてもよい。図２０は、図１６に示される医用端末１Ａのディスプレイ１３に表示される表示画面の他の表示態様の切替を説明するための図である。
【０１６２】
図２０によれば、処理回路１１Ａは、第１の表示画面と第２の表示画面との間で表示画面を切り替えることが可能である。図２０に示される第１の表示画面は、折れ線グラフＧ２０１Ａ、及び、点グラフＧ２０２Ａを含む。また、図２０に示される第２の表示画面は、折れ線グラフＧ２０１Ｂのみ含む。折れ線グラフＧ２０１Ｂは、折れ線グラフＧ２０１Ａと同一のグラフを表している。すなわち、図２０に示されるように、第１の表示画面から第２の表示画面に切り替わる際に、点グラフＧ２０２Ａが削除されている。また、図２０に示されるように、第２の表示画面から第１の表示画面に切り替わる際に、点グラフＧ２０２Ａが追加されている。
【０１６３】
［他の実施形態］
上記実施形態では、図１に示される医用端末１、及び医用サーバ２は、例えば、医用端末１がクライアント、医用サーバ２がサーバとして機能するクライアントサーバシステムを構成していたがこれに限定されない。例えば、医用端末側で表示画面データ生成のための各種処理を実行するようにしてもよい。
【０１６４】
図２１は、他の実施形態に係る医用端末１Ｂが利用される環境の例を表すブロック図である。図２１に示される医用端末１Ｂは、例えば、医療情報を統合的に観察することが可能な装置である。医用端末１Ｂには、例えば統合ビューアが実装されている。統合ビューアは医療情報を統合的にユーザに提示するアプリケーションである。統合ビューアは、Ｗｅｂアプリケーション、ファットクライアントアプリケーション、又は、シンクライアントアプリケーション等、いずれの実装形態を採用しても良い。また、医用端末１Ａは、特許請求の範囲に記載の医用情報処理装置の一例である。
【０１６５】
医用端末１Ｂは、例えば、図２１に示されるＶＮＡシステム３と、ＬＡＮ等の病院内ネットワークを介して互いに通信可能に接続されている。
【０１６６】
図２１に示されるＶＮＡシステム３の構成及び機能は、図１に示されるＶＮＡシステム３と同様である。
【０１６７】
次に、他の実施形態に係る医用端末１Ｂの詳細について図２２を参照しながら説明する。図２２は、図２１に示される医用端末１Ｂの機能構成を示すブロック図である。
【０１６８】
図２２に示される医用端末１Ｂは、処理回路１１Ｂ、入力インターフェース１２、ディスプレイ１３、メモリ１４、及び通信インターフェース１５を有する。処理回路１１Ｂ、入力インターフェース１２、ディスプレイ１３、メモリ１４、及び通信インターフェース１５は、例えば、バスを介して互いに通信可能に接続されている。
【０１６９】
処理回路１１Ｂは、医用端末１Ｂの中枢として機能するプロセッサである。処理回路１１Ｂは、例えばメモリ１４等に記憶されている制御プログラムを実行することにより、当該プログラムに対応する機能を実現する。
【０１７０】
図２２に示される入力インターフェース１２、ディスプレイ１３、メモリ１４、及び通信インターフェース１５の構成及び機能は、図２に示される入力インターフェース１２、ディスプレイ１３、メモリ１４、及び通信インターフェース１５の構成及び機能と同様である。
【０１７１】
他の実施形態に係る処理回路１１Ｂは、表示制御機能１１２、抽出機能１１４、演算機能１１５、分類機能１１６、及び生成機能１１７を有する。
【０１７２】
図２２に示される表示制御機能１１２は、図２に示される表示制御機能１１２の役割と同様である。図２２に示される抽出機能１１４、演算機能１１５、分類機能１１６、及び生成機能１１７の役割は、図３に示される抽出機能２３１、演算機能２３２、分類機能２３３、及び生成機能２３４と同様である。
以上のように構成された医用端末１Ｂが備える処理回路１１Ｂの動作を、図２３に示される処理手順に従い説明する。
【０１７３】
以下の説明では、医用端末１Ｂの入力インターフェース１２を介して、特定の患者に関する診療に関する表示画面を表示する旨の表示指示が入力されるものとする。
【０１７４】
図２３は、図２２に示される医用端末１Ｂが備える処理回路１１Ｂが実行する処理の流れを示すフローチャートである。
【０１７５】
図２３において、処理回路１１Ｂは、診療に関する表示画面の表示指示が入力されると、表示指示に含まれる特定の患者を示す情報をキーとして、例えば、ＶＮＡシステム３から診療データを取得する（ステップＳＢ１）。
【０１７６】
図２３に示されるステップＳＢ２からステップＳＢ１２までの処理は、図４に示されるステップＳＡ３からステップＳＡ１３までの処理と同様である。
【０１７７】
処理回路１１Ｂは、図２３に示されるステップＳＢ１２において、項目名単位で表示画面データを生成すると、例えば、入力インターフェース１２を介した表示対象となる項目名の指定を受け付ける。処理回路１１Ｂは、表示対象となる項目名の指定、例えば項目名「ＡＳＴ（ＧＯＴ）」の指定を受け付けると、表示制御機能１１２を実行し、項目名「ＡＳＴ（ＧＯＴ）」に対応する表示画面データに基づく表示画面をディスプレイ１３に表示する。
【０１７８】
また、上記実施形態において、例えば、図７に示されるように、基準データが分類された分類グループを表す第一の表示形式で表示されるグラフＧ７１と同一のグラフとしては表示されないが、同一の表示画面上の異なる領域に、異なる第二の表示形式で表示されるグラフＧ７２のようなグラフに含まれる診療データの例は、上記実施形態で説明したものに限られない。第二の表示形式で表示されるグラフに含まれる診療データとしては、例えば、基準データと項目ＩＤは一致するが項目名の文字列のみ異なる診療データが挙げられる。具体的には、例えば、基準データの項目名が「白血球数」、基準データと異なる診療データの項目名が「ＷＢＣ（White Blood Sell）」である場合である。これらは、項目名が異なっていたとしても項目ＩＤが同一であるため、同じ検査項目を表している可能性があるため、同時に観察したい場合があるためである。
また、第二の表示形式で表示されるグラフに含まれる診療データとしては、例えば、基準データと項目ＩＤは異なるが項目名の文字列が類似する診療データが挙げられる。具体的には、例えば、基準データの項目名が「ｐＨ（尿）」、基準データと異なる診療データの項目名が「ｐＨ（動脈血）」、及び「ｐＨ（静脈血）」である場合である。これらは、関連している検査項目である可能性があるため、同時に参照したい場合があるためである。
【０１７９】
また、第二の表示形式で表示されるグラフに含まれる診療データとしては、例えば、診療データの取得日時が大きく異なる場合が挙げられる。これらの診療データは、検査精度や検査値の基準が異なっている可能性があり、同じグラフで連結しまうのは問題となる可能性があるためである。
【０１８０】
また、第二の表示形式で表示されるグラフに含まれる診療データとしては、例えば、検査が実施された施設が異なる場合が挙げられる。検査が実施された施設が異なれば、異なる検査基準で取得された検査値の可能性があるためである。
【０１８１】
また、第二の表示形式で表示されるグラフに含まれる診療データとしては、例えば、検査者が異なる場合が挙げられる。主観評価の検査値等で評価者が異なる場合に値が大きく変わる可能性があるためである。
【０１８２】
また、第二の表示形式で表示されるグラフに含まれる診療データとしては、例えば、装置が異なる場合が挙げられる。装置の精度が異なる可能性があるためである。
【０１８３】
また、第二の表示形式で表示されるグラフに含まれる診療データとしては、例えば、計測値の取得方法が異なる場合が挙げられる。具体的には、例えば、基準データは「手動入力」で取得されたもの、基準データと異なる診療データは「自動入力」で取得されたものである場合である。これらは、検査の精度や入力間違いの影響を受ける場合があるためである。
【０１８４】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１、及び２における複数の構成要素を１つのプロセッサへ統合してその機能を実現するようにしてもよい。
【０１８５】
以上説明した少なくとも１つの実施形態によれば、様々な環境下で取得された診療データを確認する効率を向上させることが可能となる。
【０１８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８７】
１、１Ａ、１Ｂ…医用端末
２…医用サーバ
３…ＶＮＡシステム
１１、１１Ａ、１１Ｂ、２３…処理回路
１２…入力インターフェース
１３…ディスプレイ
１４、２２…メモリ
１５、２１…通信インターフェース
１１１…指示機能
１１２…表示制御機能
１１３…表示切替機能
１１４、２３１…抽出機能
１１５、２３２…演算機能
１１６、２３３…分類機能
１１７、２３４…生成機能
【図１】
2020057035.tif 000003
【図２】
2020057035.tif 000004
【図３】
2020057035.tif 000005
【図４】
2020057035.tif 000006
【図５】
2020057035.tif 000007
【図６】
2020057035.tif 000008
【図７】
2020057035.tif 000009
【図８】
2020057035.tif 000010
【図９】
2020057035.tif 000011
【図１０】
2020057035.tif 000012
【図１１】
2020057035.tif 000013
【図１２】
2020057035.tif 000014
【図１３】
2020057035.tif 000015
【図１４】
2020057035.tif 000016
【図１５】
2020057035.tif 000017
【図１６】
2020057035.tif 000018
【図１７】
2020057035.tif 000019
【図１８】
2020057035.tif 000020
【図１９】
2020057035.tif 000021
【図２０】
2020057035.tif 000022
【図２１】
2020057035.tif 000023
【図２２】
2020057035.tif 000024
【図２３】
2020057035.tif 000025